(57)【特許請求の範囲】
【請求項１】
上端に胴部開口を有し、下端に一対の脚部開口を有するパンツタイプの吸収性物品であって、
着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されている本体部と、
胴部開口のエッジに沿って前記本体部に接合されるとともに収縮することにより胴部開口ギャザを形成する胴部弾性部材と、
一対の脚部開口のそれぞれのエッジに沿って前記本体部に接合されるとともに収縮することにより脚部開口ギャザを形成する脚部弾性部材と、
前記胴部弾性部材および前記脚部弾性部材の間において左右方向に沿って前記前方部に接合されるとともに収縮することにより前方部ギャザを形成する前方部弾性部材と、
前記胴部弾性部材および前記脚部弾性部材の間において前記左右方向に沿って前記後方部に接合されるとともに収縮することにより後方部ギャザを形成する後方部弾性部材と、
を備え、
前記本体部が、
吸収コアと、
前記吸収コアの着用者側の主面を覆うトップシートと、
外装シートと、
を備え、
前記前方部弾性部材および前記後方部弾性部材の少なくとも一方が、
複数の弾性糸を前記左右方向に垂直な上下方向に第１の間隔にて配列した第１弾性糸群と、
前記第１弾性糸群の下方において複数の弾性糸を前記上下方向に第２の間隔にて配列した第２弾性糸群と、
を備え、
前記吸収コアが前記第２弾性糸群よりも下方に位置し、
前記第１弾性糸群の下端と前記第２弾性糸群の上端との間の前記上下方向に関する距離が、前記第１の間隔および前記第２の間隔のいずれよりも大きいことを特徴とする吸収性物品。
【請求項２】
請求項１に記載の吸収性物品であって、
前記第１の間隔および前記第２の間隔が１ｍｍ以上９ｍｍ以下であり、前記第１弾性糸群の前記下端と前記第２弾性糸群の前記上端との間の前記距離が１０ｍｍ以上２０ｍｍ以下であることを特徴とする吸収性物品。
【請求項３】
請求項１または２に記載の吸収性物品であって、
着用者に着用された状態において、前記第１弾性糸群および前記第２弾性糸群のそれぞれに生じる張力が、前記胴部弾性部材に生じる張力よりも小さいことを特徴とする吸収性物品。
【請求項４】
請求項１ないし３のいずれかに記載の吸収性物品であって、
前記第１弾性糸群の前記下端に位置する弾性糸の断面積が、前記第１弾性糸群の他の弾性糸および前記第２弾性糸群の前記上端に位置する弾性糸の断面積よりも大きいことを特徴とする吸収性物品。
【請求項５】
請求項１ないし４のいずれかに記載の吸収性物品であって、
前記前方部弾性部材および前記後方部弾性部材の前記少なくとも一方が、前記第２弾性糸群の下方において、前記第１弾性糸群の前記下端と前記第２弾性糸群の前記上端との間の前記距離よりも小さい第３の間隔にて、複数の弾性糸を前記上下方向に配列した第３弾性糸群をさらに備え、
前記吸収コアが前記第３弾性糸群よりも下方に位置し、
前記第２弾性糸群の下端と前記第３弾性糸群の上端との間の前記上下方向に関する距離が、前記第１の間隔、前記第２の間隔および前記第３の間隔のいずれよりも大きいことを特徴とする吸収性物品。
【請求項６】
請求項５に記載の吸収性物品であって、
前記第１弾性糸群、前記第２弾性糸群および前記第３弾性糸群がそれぞれ、２本の弾性糸のみを備えることを特徴とする吸収性物品。
【請求項７】
請求項１ないし６のいずれかに記載の吸収性物品であって、
前記第１弾性糸群の上端と前記胴部弾性部材の下端との間の前記上下方向に関する距離が、前記第１の間隔および前記第２の間隔のいずれよりも大きいことを特徴とする吸収性物品。
【請求項８】
請求項１ないし７のいずれかに記載の吸収性物品であって、
前記前方部弾性部材および前記後方部弾性部材のそれぞれが、前記第１弾性糸群および前記第２弾性糸群を備えることを特徴とする吸収性物品。
【請求項９】
上端に胴部開口を有し、下端に一対の脚部開口を有するパンツタイプの吸収性物品であって、
着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されている本体部と、
胴部開口のエッジに沿って前記本体部に接合されるとともに収縮することにより胴部開口ギャザを形成する胴部弾性部材と、
一対の脚部開口のそれぞれのエッジに沿って前記本体部に接合されるとともに収縮することにより脚部開口ギャザを形成する脚部弾性部材と、
前記胴部弾性部材および前記脚部弾性部材の間において左右方向に沿って前記前方部に接合されるとともに収縮することにより前方部ギャザを形成する前方部弾性部材と、
前記胴部弾性部材および前記脚部弾性部材の間において前記左右方向に沿って前記後方部に接合されるとともに収縮することにより後方部ギャザを形成する後方部弾性部材と、
を備え、
前記本体部が、
吸収コアと、
前記吸収コアの着用者側の主面を覆うトップシートと、
外装シートと、
を備え、
前記前方部弾性部材および前記後方部弾性部材の少なくとも一方が、
第１弾性糸と、
前記第１弾性糸の下方において、前記左右方向に垂直な上下方向に関して前記第１弾性糸と第１の距離をあけて配置された第２弾性糸と、
前記第２弾性糸の下方において、前記上下方向に関して前記第２弾性糸と前記第１の距離よりも小さい第２の距離をあけて配置された第３弾性糸と、
を備え、
前記第３弾性糸よりも下方に前記吸収コアが位置することを特徴とする吸収性物品。
【発明の詳細な説明】
【技術分野】
【０００１】
本発明は、上端に胴部開口を有し、下端に一対の脚部開口を有するパンツタイプの吸収性物品に関する。
【背景技術】
【０００２】
従来より、着用者からの排泄物を受ける使い捨ておむつの１つとしてパンツタイプのものが利用されている。パンツタイプの使い捨ておむつでは、上端の胴部開口および下端の一対の脚部開口の周囲に弾性部材を設けることにより、着用者に対する使い捨ておむつの密着性を向上させ、排泄物の重さ等により使い捨ておむつがずれることを防止する構造が採用されている。
【０００３】
特許文献１では、パンツタイプの使い捨ておむつのウエスト開口部（胴部開口）と一対のレッグ開口部（脚部開口）との間の胴周囲部において、全周に亘ってギャザを形成する複数の弾性部材を設け、当該複数の弾性部材の間隔をウエスト開口部に近づくほど狭くし、かつ、各弾性部材の伸張率をウエスト開口部に近づくほど高くすることにより、使い捨ておむつの胴周囲部を着用者に良好にフィットさせる技術が開示されている。
【０００４】
また、特許文献２では、パンツタイプの使い捨ておむつの腹側部において、胴回り部分の外層シートを貫通する複数の補助開口部を設けることにより、着用時に補助開口部に指を引っ掛けて使い捨ておむつを容易に着用する技術が開示されている。
【特許文献１】特開平８−１１２３０９号公報
【特許文献２】特開２００４−２６７３３５号公報
【発明の開示】
【発明が解決しようとする課題】
【０００５】
ところで、パンツタイプの使い捨ておむつは、通常、使い捨ておむつの胴部開口から脚部開口へと脚を挿入した後、胴部開口の内側に親指を入れて胴部開口近傍を掴み、使い捨ておむつを腰部まで引き上げることにより着用される。
【０００６】
特許文献１の使い捨ておむつでは、ウエスト開口部に近づくほど弾性部材の間隔が狭くなるため、着用する際に使い捨ておむつに指を安定して引っ掛けることが困難となる。このため、着用者によっては使い捨ておむつを強く掴むことができず、使い捨ておむつを容易に着用することができない場合がある。
【０００７】
また、特許文献２の使い捨ておむつでは、外層シートに補助開口部を有するため、尿等が補助開口部から外部に漏出する恐れがあり、また、補助開口部を有する胴回り部分の強度が低下して外層シートが破れてしまう可能性もある。
【０００８】
本発明は、上記課題に鑑みなされたものであり、パンツタイプの吸収性物品において、本体部の前方部および後方部の着用者に対する密着性を向上するとともに吸収性物品の着用を容易とすることを目的としている。
【課題を解決するための手段】
【０００９】
請求項１に記載の発明は、上端に胴部開口を有し、下端に一対の脚部開口を有するパンツタイプの吸収性物品であって、着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されている本体部と、胴部開口のエッジに沿って前記本体部に接合されるとともに収縮することにより胴部開口ギャザを形成する胴部弾性部材と、一対の脚部開口のそれぞれのエッジに沿って前記本体部に接合されるとともに収縮することにより脚部開口ギャザを形成する脚部弾性部材と、前記胴部弾性部材および前記脚部弾性部材の間において左右方向に沿って前記前方部に接合されるとともに収縮することにより前方部ギャザを形成する前方部弾性部材と、前記胴部弾性部材および前記脚部弾性部材の間において前記左右方向に沿って前記後方部に接合されるとともに収縮することにより後方部ギャザを形成する後方部弾性部材と、を備え、前記本体部が、吸収コアと、前記吸収コアの着用者側の主面を覆うトップシートと、外装シートと、を備え、前記前方部弾性部材および前記後方部弾性部材の少なくとも一方が、複数の弾性糸を前記左右方向に垂直な上下方向に第１の間隔にて配列した第１弾性糸群と、前記第１弾性糸群の下方において複数の弾性糸を前記上下方向に第２の間隔にて配列した第２弾性糸群と、を備え、前記吸収コアが前記第２弾性糸群よりも下方に位置し、前記第１弾性糸群の下端と前記第２弾性糸群の上端との間の前記上下方向に関する距離が、前記第１の間隔および前記第２の間隔のいずれよりも大きい。
【００１０】
請求項２に記載の発明は、請求項１に記載の吸収性物品であって、前記第１の間隔および前記第２の間隔が１ｍｍ以上９ｍｍ以下であり、前記第１弾性糸群の前記下端と前記第２弾性糸群の前記上端との間の前記距離が１０ｍｍ以上２０ｍｍ以下である。
【００１１】
請求項３に記載の発明は、請求項１または２に記載の吸収性物品であって、着用者に着用された状態において、前記第１弾性糸群および前記第２弾性糸群のそれぞれに生じる張力が、前記胴部弾性部材に生じる張力よりも小さい。
【００１２】
請求項４に記載の発明は、請求項１ないし３のいずれかに記載の吸収性物品であって、前記第１弾性糸群の前記下端に位置する弾性糸の断面積が、前記第１弾性糸群の他の弾性糸および前記第２弾性糸群の前記上端に位置する弾性糸の断面積よりも大きい。
【００１３】
請求項５に記載の発明は、請求項１ないし４のいずれかに記載の吸収性物品であって、前記前方部弾性部材および前記後方部弾性部材の前記少なくとも一方が、前記第２弾性糸群の下方において、前記第１弾性糸群の前記下端と前記第２弾性糸群の前記上端との間の前記距離よりも小さい第３の間隔にて、複数の弾性糸を前記上下方向に配列した第３弾性糸群をさらに備え、前記吸収コアが前記第３弾性糸群よりも下方に位置し、前記第２弾性糸群の下端と前記第３弾性糸群の上端との間の前記上下方向に関する距離が、前記第１の間隔、前記第２の間隔および前記第３の間隔のいずれよりも大きい。
【００１４】
請求項６に記載の発明は、請求項５に記載の吸収性物品であって、前記第１弾性糸群、前記第２弾性糸群および前記第３弾性糸群がそれぞれ、２本の弾性糸のみを備える。
【００１５】
請求項７に記載の発明は、請求項１ないし６のいずれかに記載の吸収性物品であって、前記第１弾性糸群の上端と前記胴部弾性部材の下端との間の前記上下方向に関する距離が、前記第１の間隔および前記第２の間隔のいずれよりも大きい。
【００１６】
請求項８に記載の発明は、請求項１ないし７のいずれかに記載の吸収性物品であって、前記前方部弾性部材および前記後方部弾性部材のそれぞれが、前記第１弾性糸群および前記第２弾性糸群を備える。
【００１７】
請求項９に記載の発明は、上端に胴部開口を有し、下端に一対の脚部開口を有するパンツタイプの吸収性物品であって、着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されている本体部と、胴部開口のエッジに沿って前記本体部に接合されるとともに収縮することにより胴部開口ギャザを形成する胴部弾性部材と、一対の脚部開口のそれぞれのエッジに沿って前記本体部に接合されるとともに収縮することにより脚部開口ギャザを形成する脚部弾性部材と、前記胴部弾性部材および前記脚部弾性部材の間において左右方向に沿って前記前方部に接合されるとともに収縮することにより前方部ギャザを形成する前方部弾性部材と、前記胴部弾性部材および前記脚部弾性部材の間において前記左右方向に沿って前記後方部に接合されるとともに収縮することにより後方部ギャザを形成する後方部弾性部材と、を備え、前記本体部が、吸収コアと、前記吸収コアの着用者側の主面を覆うトップシートと、外装シートと、を備え、前記前方部弾性部材および前記後方部弾性部材の少なくとも一方が、第１弾性糸と、前記第１弾性糸の下方において、前記左右方向に垂直な上下方向に関して前記第１弾性糸と第１の距離をあけて配置された第２弾性糸と、前記第２弾性糸の下方において、前記上下方向に関して前記第２弾性糸と前記第１の距離よりも小さい第２の距離をあけて配置された第３弾性糸と、を備え、前記第３弾性糸よりも下方に前記吸収コアが位置する。
【発明の効果】
【００１８】
本発明では、本体部の前方部および後方部の着用者に対する密着性を向上するとともに吸収性物品の着用を容易とすることができる。
【発明を実施するための最良の形態】
【００１９】
図１は、本発明の第１の実施の形態に係る吸収性物品１の外観を示す図であり、図２および図３はそれぞれ、吸収性物品１を正面図（すなわち、着用者の腹側に位置する部位の図）および背面図（すなわち、着用者の背側に位置する部位の図）である。吸収性物品１は、上端（すなわち、図１中の上側の端部）に胴部開口１１を有し、下端に一対の脚部開口１２を有するパンツタイプの使い捨ておむつである。
【００２０】
図４は、吸収性物品１を展開した状態で着用者側から見た平面図である。図４に示すように、吸収性物品１は、略シート状の本体部２を備える。吸収性物品１では、本体部２の図４中の下側の部位２０１が着用者の腹側の肌に接し、図４中の上側の部位２０３が着用者の背側の肌に接する。以下の説明では、本体部２の着用者の腹側および背側の肌に接する部位２０１，２０３をそれぞれ、「前方部２０１」および「後方部２０３」と呼び、前方部２０１と後方部２０３との間で着用者の股間部に対向する部位２０２を「中間部２０２」と呼ぶ。
【００２１】
図１に示すように、吸収性物品１では、本体部２が中間部２０２で折り曲げられ、中間部２０２を下側に向けた際の前方部２０１の左右両側の部位（すなわち、前方部２０１の幅方向の両側の部位）が、後方部２０３の左右両側の部位（すなわち、後方部２０３の幅方向の両側の部位）にそれぞれ接合されている。
【００２２】
図５は、吸収性物品１を図４中に示すＡ−Ａの位置で切断した断面図である。図４および図５に示すように、本体部２は、吸収体である吸収コア２２、吸収コア２２の内側（すなわち、着用者側）の主面を覆うトップシート２１、吸収コア２２の外側（すなわち、着用者側とは反対側）の主面を覆うバックシート２３、バックシート２３の外側を覆う外装シート２４、および、吸収コア２２の長手方向（すなわち、図４中の上下方向）のほぼ全長に亘って吸収コア２２の長手方向とは垂直な幅方向の両側に設けられた一対の側壁部３を備える。図４中では、吸収コア２２の輪郭を太い破線にて示す。トップシート２１およびバックシート２３は、ホットメルト接着剤等により吸収コア２２の周囲にて互いに接合され、吸収コア２２の側方には側壁部３が接合される。また、外装シート２４およびバックシート２３もホットメルト接着剤等により接合される。
【００２３】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２４】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２５】
バックシート２３は、撥水性または不透液性のプラスチックフィルムであり、トップシート２１を透過した水分、および、吸収コア２２に一旦吸収された水分が、外装シート２４側にしみ出すのを防止する。着用者の快適性の観点からは、通気性を有するプラスチックフィルムがバックシート２３として利用されることが好ましい。バックシート２３としては、撥水性または不透液性の不織布や当該不織布の内側に撥水性または不透液性のプラスチックフィルムが積層された積層シートが利用されてもよい。バックシート２３に利用される不織布は、例えば、スパンボンド不織布やメルトブロー不織布、ＳＭＳ（スパンボンド・メルトブロー・スパンボンド）不織布であり、必要に応じて撥水処理が施されてもよい。
【００２６】
外装シート２４は、撥水性または不透液性の不織布であり、前方部２０１における外装シート２４の左右両側の部位が、後方部２０３における外装シート２４の左右両側の部位にそれぞれ接合されることにより、吸収性物品１がパンツ型に形成される。なお、外装シート２４として、撥水性または不透液性のプラスチックフィルムやプラスチックフィルムと不織布との積層シートが利用されてもよいが、着用者の肌触りを向上するという観点からは、外装シート２４は不織布により形成されることが好ましい。
【００２７】
図４および図５に示すように、一対の側壁部３のそれぞれには、長手方向に伸びる２本の弾性糸３１が接合されており、図４に示すように吸収性物品１を広げた状態では、弾性糸３１は伸張状態となっている。吸収性物品１では、弾性糸３１が収縮することにより、本体部２の側方において側壁部３が着用者側に向かって立ち上がり、着用時に着用者の足の付け根近傍に当接する立体ギャザーが形成される。
【００２８】
側壁部３は、撥水性または不透液性の不織布（例えば、スパンボンド不織布やメルトブロー不織布、ＳＭＳ不織布）やプラスチックフィルム、あるいは、これらの複合材料により形成される。吸収性物品１の快適性向上の観点からは、側壁部３が通気性を有することが好ましい。弾性糸３１としては、例えば、ポリウレタン糸、帯状のポリウレタンフィルム、糸状または帯状の天然ゴム等が用いられる。
【００２９】
図１ないし図３に示すように、吸収性物品１は、また、胴部開口１１のエッジに沿うとともに胴部開口１１の全周に亘って本体部２に接合される胴部弾性部材４１、一対の脚部開口１２のそれぞれのエッジに沿うとともに脚部開口１２のほぼ全周に亘って本体部２に接合される脚部弾性部材４２、胴部弾性部材４１および脚部弾性部材４２の間において左右方向（すなわち、幅方向）に沿って前方部２０１に接合される前方部弾性部材４３、並びに、胴部弾性部材４１および脚部弾性部材４２の間において左右方向に沿って後方部２０３に接合される後方部弾性部材４４をさらに備える。
【００３０】
胴部弾性部材４１は複数の弾性糸を含み、吸収性物品１では、これら複数の弾性糸を胴部弾性部材４１と総称している。脚部弾性部材４２も同様に複数の弾性糸を含み、これら複数の弾性糸を脚部弾性部材４２と総称している。胴部弾性部材４１および脚部弾性部材４２に含まれる複数の弾性糸は、本体部２の前方部２０１および後方部２０３のそれぞれの長手方向の端部において、ホットメルト接着剤等により外装シート２４に接着される。
【００３１】
前方部弾性部材４３および後方部弾性部材４４もそれぞれ複数の弾性糸を含み、当該複数の弾性糸もホットメルト接着剤等により外装シート２４に接着される。前方部弾性部材４３および後方部弾性部材４４が接合される部位では、外装シート２４は２枚の不織布を積層した構造とされており、前方部弾性部材４３および後方部弾性部材４４は当該２枚の不織布の間に接合される。
【００３２】
なお、正確には胴部弾性部材４１の弾性糸は、前方部弾性部材４３および後方部弾性部材４４の弾性糸と同様に、前方部２０１と後方部２０３とに個別に設けられる。
【００３３】
胴部弾性部材４１、脚部弾性部材４２、前方部弾性部材４３および後方部弾性部材４４にそれぞれ含まれる複数の弾性糸としては、例えば、ポリウレタン糸、帯状のポリウレタンフィルム、糸状または帯状の天然ゴム等が用いられる。本実施の形態では、繊度３００〜２０００デシテックスの糸状部材である複数のポリウレタン糸が、ゴム系のホットメルト接着剤により本体部２に接着される。なお、胴部弾性部材４１、脚部弾性部材４２、前方部弾性部材４３および後方部弾性部材４４に含まれる弾性糸の本体部２に対する接合方法としては、超音波圧着や熱圧着等を採用することもできる。ただし、製造の簡素化等の観点からは、ホットメルト接着剤による接着が好ましい。
【００３４】
胴部弾性部材４１および脚部弾性部材４２はそれぞれ、胴部開口１１および脚部開口１２の周囲にほぼ全周に亘って伸張状態（好ましくは、１．１倍〜５．０倍に伸張された状態）で接合され、収縮することにより胴部開口ギャザおよび脚部開口ギャザを形成する。前方部弾性部材４３および後方部弾性部材４４も同様に、本体部２の前方部２０１および後方部２０３にそれぞれ伸張状態（好ましくは、１．１倍〜５．０倍に伸張された状態）で接合され、収縮することにより前方部ギャザおよび後方部ギャザを形成する。
【００３５】
図１および図２に示すように、前方部弾性部材４３は、複数の弾性糸４３１１を含む第１弾性糸群４３１、第１弾性糸群４３１の下方において複数の弾性糸４３２１を含む第２弾性糸群４３２、および、第２弾性糸群４３２の下方において複数の弾性糸４３３１を含む第３弾性糸群４３３を備える。本実施の形態では、第１弾性糸群４３１、第２弾性糸群４３２および第３弾性糸群４３３はそれぞれ、弾性糸を２本のみ有する。図１および図３に示すように、後方部弾性部材４４も前方部弾性部材４３と同様に、２本の弾性糸４４１１を含む第１弾性糸群４４１、２本の弾性糸４４２１を含む第２弾性糸群４４２、および、２本の弾性糸４４３１を含む第３弾性糸群４４３を備える。
【００３６】
図１に示す前方部弾性部材４３の第１弾性糸群４３１では、下端に位置する弾性糸４３１１が、第１弾性糸群４３１の他の弾性糸４３１１（本実施の形態では、上端に位置する弾性糸４３１１）よりも太い（すなわち、断面積が大きい。）。前方部弾性部材４３の第２弾性糸群４３２、並びに、後方部弾性部材４４の第１弾性糸群４４１および第２弾性糸群４４２においても同様に、各弾性糸群の下端に位置する弾性糸は、各弾性糸群の他の弾性糸よりも太い。
【００３７】
また、前方部弾性部材４３の第１弾性糸群４３１の下端に位置する弾性糸４３１１は、第２弾性糸群４３２の上端に位置する弾性糸４３２１よりも太く、第２弾性糸群４３２の下端に位置する弾性糸４３２１は、第３弾性糸群４３３の上端に位置する弾性糸４３３１よりも太い。後方部弾性部材４４においても同様に、第１弾性糸群４４１の下端に位置する弾性糸４４１１は、第２弾性糸群４４２の上端に位置する弾性糸４４２１よりも太く、第２弾性糸群４４２の下端に位置する弾性糸４４２１は、第３弾性糸群４４３の上端に位置する弾性糸４４３１よりも太い。
【００３８】
着用者に着用された状態の吸収性物品１では、伸張された胴部弾性部材４１が収縮することにより、胴部開口１１近傍の部位が着用者の胴回りに密着し、脚部弾性部材４２が収縮することにより、脚部開口１２近傍の部位が着用者の脚部に密着する。また、前方部弾性部材４３および後方部弾性部材４４が収縮することにより、前方部２０１および後方部２０３が着用者の腹側および背側の肌に密着する。
【００３９】
吸収性物品１が着用者に着用された状態（すなわち、胴部弾性部材４１、脚部弾性部材４２、前方部弾性部材４３および後方部弾性部材４４が伸張された状態）では、前方部弾性部材４３の第１弾性糸群４３１、第２弾性糸群４３２および第３弾性糸群４３３、並びに、後方部弾性部材４４の第１弾性糸群４４１、第２弾性糸群４４２および第３弾性糸群４４３にそれぞれ生じる張力は、胴部弾性部材４１に生じる張力よりも小さい。このため、本体部２の前方部２０１および後方部２０３の着用者に対する密着性が過剰に大きくなることを防止することができ、吸収性物品１の着用感を快適なものとすることができる。
【００４０】
図２に示すように、前方部弾性部材４３の第１弾性糸群４３１では、２本の弾性糸４３１１が左右方向に垂直な上下方向に間隔ＤＳ１にて配列されており、第２弾性糸群４３２では、２本の弾性糸４３２１が間隔ＤＳ２にて上下方向に配列されている。また、第３弾性糸群４３３では、２本の弾性糸４３３１が間隔ＤＳ３にて上下方向に配列されている。図３に示すように、後方部弾性部材４４でも同様に、第１弾性糸群４４１、第２弾性糸群４４２および第３弾性糸群４４３において、２本の弾性糸の間隔はそれぞれＤＳ１，ＤＳ２，ＤＳ３とされる。間隔ＤＳ１，ＤＳ２，ＤＳ３は１ｍｍ以上９ｍｍ以下とされ、本実施の形態では７ｍｍとされる。
【００４１】
図２に示す前方部弾性部材４３では、第１弾性糸群４３１の下端の弾性糸４３１１と第２弾性糸群４３２の上端の弾性糸４３２１との間の上下方向に関する距離ＤＬ１、および、第２弾性糸群４３２の下端の弾性糸４３２１と第３弾性糸群４３３の上端の弾性糸４３３１との間の上下方向に関する距離ＤＬ２は、上記間隔ＤＳ１，ＤＳ２，ＤＳ３のいずれよりも大きい。図３に示す後方部弾性部材４４においても同様に、第１弾性糸群４４１の下端の弾性糸４４１１と第２弾性糸群４４２の上端の弾性糸４４２１との間の上下方向に関する距離、および、第２弾性糸群４４２の下端の弾性糸４４２１と第３弾性糸群４４３の上端の弾性糸４４３１との間の上下方向に関する距離がそれぞれＤＬ１，ＤＬ２とされ、当該距離ＤＬ１，ＤＬ２は上記間隔ＤＳ１，ＤＳ２，ＤＳ３のいずれよりも大きい。距離ＤＬ１，ＤＬ２は１０ｍｍ以上２０ｍｍ以下とされ、本実施の形態では１４ｍｍとされる。
【００４２】
また、吸収性物品１では、図２および図３に示すように、前方部弾性部材４３および後方部弾性部材４４の第１弾性糸群４３１，４４１の上端の弾性糸４３１１，４４１１と胴部弾性部材４１の下端の弾性糸との間の上下方向に関するそれぞれの距離ＤＬ３も、上記間隔ＤＳ１，ＤＳ２，ＤＳ３のいずれよりも大きい。
【００４３】
吸収性物品１を着用する際には、通常、胴部開口１１から脚部開口１２へと脚を挿入した後、胴部開口１１の内側に両手の親指を入れて本体部２の胴部開口１１近傍を掴み、吸収性物品１を腰部まで引き上げる。着用された吸収性物品１では、本体部２の前方部２０１および後方部２０３に前方部弾性部材４３および後方部弾性部材４４が設けられているため、前方部弾性部材４３および後方部弾性部材４４が設けられない吸収性物品に比べて、本体部２の前方部２０１および後方部２０３の着用者に対する密着性を向上することができる。その結果、吸収性物品１がずれてしまうことを防止して、吸収性物品１からの排泄物の漏出を確実に防止することができる。
【００４４】
上述のように、吸収性物品１では、前方部弾性部材４３における第１弾性糸群４３１の下端と第２弾性糸群４３２の上端との間の距離ＤＬ１、および、第２弾性糸群４３２の下端と第３弾性糸群４３３の上端との間の距離ＤＬ２が、第１弾性糸群４３１、第２弾性糸群４３２および第３弾性糸群４３３のそれぞれにおける複数の弾性糸の間隔ＤＳ１，ＤＳ２，ＤＳ３のいずれよりも大きい。吸収性物品１の着用の際には、両手の指先を第１弾性糸群４３１と第２弾性糸群４３２との間、または、第２弾性糸群４３２と第３弾性糸群４３３との間に位置させて本体部２の前方部２０１を掴むことにより、指先を深く本体部２に引っ掛けることができ、小さな握力でも本体部２を強固に把持することができる。その結果、吸収性物品１を腰部側に容易に引き上げることができ、吸収性物品１の着用を容易とすることができる。
【００４５】
また、吸収性物品１では、後方部弾性部材４４における第１弾性糸群４４１の下端と第２弾性糸群４４２の上端との間の距離ＤＬ１、および、第２弾性糸群４４２の下端と第３弾性糸群４４３の上端との間の距離ＤＬ２が、第１弾性糸群４４１、第２弾性糸群４４２および第３弾性糸群４４３のそれぞれにおける複数の弾性糸の間隔ＤＳ１，ＤＳ２，ＤＳ３のいずれよりも大きい。このため、両手の指先を第１弾性糸群４４１と第２弾性糸群４４２との間、または、第２弾性糸群４４２と第３弾性糸群４４３との間に位置させて本体部２の後方部２０３を強固に掴むことができる。このように、吸収性物品１では、着用の際に本体部２の前方部２０１および後方部２０３のいずれをも強固に掴むことができるため、吸収性物品１の着用をより容易とすることができる。
【００４６】
ここで、前方部弾性部材４３および後方部弾性部材４４において、第１ないし第３弾性糸群の間の距離ＤＬ１，ＤＬ２が１０ｍｍ以上とされることにより、これらの弾性糸群の間において指先を本体部２に容易に引っ掛けることができるため、本体部２をより強固に掴んで吸収性物品１の着用をさらに容易とすることができる。また、距離ＤＬ１，ＤＬ２が２０ｍｍ以下とされることにより、前方部弾性部材４３および後方部弾性部材４４に含まれる複数の弾性糸の配置が必要以上に疎らになることを防止することができる。これにより、前方部弾性部材４３および後方部弾性部材４４の収縮による本体部２の着用者への密着性を適切な範囲に維持することができる。
【００４７】
さらに、前方部弾性部材４３および後方部弾性部材４４では、各弾性糸群における複数の弾性糸の間隔ＤＳ１，ＤＳ２，ＤＳ３が１ｍｍ以上とされることにより、各弾性糸群において複数の弾性糸の配置が必要以上に密になることを防止することができる。これにより、吸収性物品１の製造において、製造途中での蛇行等の影響で隣り合う弾性糸同士がくっついてしまって局所的に着用者の肌に強く影響する弾性糸群ができてしまうことを防ぐことができるため、蛇行等を防ぐための特別な制御をする必要がなく、当該複数の弾性糸の本体部２に対する取り付けを容易に行うことができ、吸収性物品１の製造を簡素化することができる。間隔ＤＳ１，ＤＳ２，ＤＳ３は、より好ましくは３ｍｍ以上である。また、間隔ＤＳ１，ＤＳ２，ＤＳ３が９ｍｍ以下とされることにより、前方部弾性部材４３および後方部弾性部材４４に含まれる複数の弾性糸の配置が必要以上に疎らになることを防止することができる。これにより、本体部２の着用者への密着性を適切な範囲に維持することができる。
【００４８】
前方部弾性部材４３および後方部弾性部材４４ではそれぞれ、３つの弾性糸群が、各弾性糸群の複数の弾性糸の間隔ＤＳ１，ＤＳ２，ＤＳ３よりも大きい距離をあけて設けられている。このように、吸収性物品１では、弾性糸群の間の部位（すなわち、指先を引っ掛けやすい部位）が本体部２の前方部２０１および後方部２０３のそれぞれにおいて上下方向に複数箇所設けられるため、吸収性物品１の着用をさらに容易とすることができる。
【００４９】
また、前方部弾性部材４３および後方部弾性部材４４では、各弾性糸群が２本の弾性糸のみを備えるため、間隔ＤＳ１，ＤＳ２，ＤＳ３と間隔ＤＳ１，ＤＳ２，ＤＳ３よりも大きい距離ＤＬ１，ＤＬ２とが交互に配列される。これにより、弾性糸群の間の部位に指先をさらに容易に引っ掛けることができるため、吸収性物品１の着用をより一層容易とすることができる。
【００５０】
前方部弾性部材４３および後方部弾性部材４４では、第１弾性糸群４３１，４４１および第２弾性糸群４３２，４４２のそれぞれの下端に位置する弾性糸の断面積が、当該弾性糸が含まれる弾性糸群の他の弾性糸の断面積、および、当該弾性糸の下側に隣接する他の弾性糸群の上端に位置する弾性糸の断面積よりも大きい。このように、弾性糸群の間の部位の上縁に位置する弾性糸の断面積を、周囲に配置された他の弾性糸の断面積よりも大きくする（すなわち、繊度を大きくする）ことにより、本体部２を掴む際に指先に伝わる感触に基づいて指先を引っ掛ける位置を容易に見つけ出すことができ、さらに、吸収性物品１を腰部側に引き上げる際に指先に力を入れやすいため、吸収性物品１の着用をより一層容易とすることができる。
【００５１】
なお、吸収性物品１では、本体部２の第３弾性糸群４３３，４４３の下側の部位に指先を引っ掛けて本体部２を掴んでもよい。この場合、第３弾性糸群４３３，４４３の下端に位置する弾性糸の断面積も、第３弾性糸群４３３，４４３に含まれる他の弾性糸の断面積よりも大きくすることが好ましい。
【００５２】
吸収性物品１では、本体部２の前方部２０１および後方部２０３において、胴部弾性部材４１の下端と第１弾性糸群の上端との間の距離が、各弾性糸群における弾性糸の間隔よりも大きくされる。これにより、吸収性物品１の着用時に、必要に応じて、胴部弾性部材４１と第１弾性糸群４３１，４４１との間の部位にも指先を引っ掛けることができるため、吸収性物品１の着用をより一層容易とすることができる。
【００５３】
次に、本発明の第２の実施の形態に係る吸収性物品１ａについて説明する。図６および図７は、吸収性物品１ａの正面図および背面図である。図６および図７に示すように、吸収性物品１ａは、第１の実施の形態と同様に、上端（すなわち、図６および図７中の上側の端部）に胴部開口１１を有し、下端に一対の脚部開口１２を有するパンツタイプの使い捨ておむつである。吸収性物品１ａでは、図１ないし図３に示す吸収性物品１とは異なり、前方部弾性部材４３ａおよび後方部弾性部材４４ａがそれぞれ２つの弾性糸群のみを備える。その他の構成は図１ないし図３と同様であり、以下の説明において同符号を付す。
【００５４】
図６および図７に示すように、吸収性物品１ａは、第１の実施の形態と同様に、本体部２、胴部弾性部材４１および脚部弾性部材４２を備える。吸収性物品１ａは、また、胴部弾性部材４１および脚部弾性部材４２の間において左右方向（すなわち、幅方向）に沿って本体部２の前方部２０１に接合される前方部弾性部材４３ａ、並びに、胴部弾性部材４１および脚部弾性部材４２の間において左右方向に沿って本体部２の後方部２０３に接合される後方部弾性部材４４ａをさらに備える。
【００５５】
図６に示すように、前方部弾性部材４３ａは、複数の弾性糸４３１１を含む第１弾性糸群４３１、および、第１弾性糸群４３１の下方において複数の弾性糸４３２１を含む第２弾性糸群４３２を備える。本実施の形態では、第１弾性糸群４３１および第２弾性糸群４３２はそれぞれ、３本の弾性糸（ポリウレタン糸）を有する。図７に示すように、後方部弾性部材４４ａも前方部弾性部材４３ａと同様に、３本の弾性糸４４１１を含む第１弾性糸群４４１、および、３本の弾性糸４４２１を含む第２弾性糸群４４２を備える。前方部弾性部材４３ａおよび後方部弾性部材４４ａでは、第１弾性糸群の下端に位置する弾性糸が、第１弾性糸群の他の２本の弾性糸、および、第２弾性糸群の上端に位置する弾性糸よりも太い。
【００５６】
図６および図７に示す吸収性物品１ａが着用者に着用された状態では、第１の実施の形態と同様に、前方部弾性部材４３ａの第１弾性糸群４３１および第２弾性糸群４３２、並びに、後方部弾性部材４４ａの第１弾性糸群４４１および第２弾性糸群４４２にそれぞれ生じる張力は、胴部弾性部材４１に生じる張力よりも小さい。このため、本体部２の前方部２０１および後方部２０３の着用者に対する密着性が過剰に大きくなることを防止することができ、吸収性物品１ａの着用感を快適なものとすることができる。
【００５７】
図６に示すように、前方部弾性部材４３ａの第１弾性糸群４３１では、３本の弾性糸４３１１が上下方向に間隔ＤＳ１にて配列されており、第２弾性糸群４３２では、３本の弾性糸４３２１が間隔ＤＳ２にて上下方向に配列されている。図７に示すように、後方部弾性部材４４ａでも同様に、第１弾性糸群４４１および第２弾性糸群４４２において、３本の弾性糸の間隔はそれぞれＤＳ１，ＤＳ２とされる。間隔ＤＳ１，ＤＳ２は１ｍｍ以上９ｍｍ以下とされ、本実施の形態では７ｍｍとされる。
【００５８】
図６に示す前方部弾性部材４３ａでは、第１弾性糸群４３１の下端の弾性糸４３１１と第２弾性糸群４３２の上端の弾性糸４３２１との間の上下方向に関する距離ＤＬ１が、上記間隔ＤＳ１，ＤＳ２のいずれよりも大きい。図７に示す後方部弾性部材４４ａにおいても同様に、第１弾性糸群４４１の下端の弾性糸４４１１と第２弾性糸群４４２の上端の弾性糸４４２１との間の上下方向に関する距離がＤＬ１とされ、当該距離ＤＬ１は上記間隔ＤＳ１，ＤＳ２のいずれよりも大きい。距離ＤＬ１は１０ｍｍ以上２０ｍｍ以下とされ、本実施の形態では１４ｍｍとされる。
【００５９】
また、吸収性物品１ａでは、図６および図７に示すように、前方部弾性部材４３ａおよび後方部弾性部材４４ａの第１弾性糸群４３１，４４１の上端の弾性糸４３１１，４４１１と胴部弾性部材４１の下端の弾性糸との間の上下方向に関するそれぞれの距離ＤＬ３も、上記間隔ＤＳ１，ＤＳ２のいずれよりも大きい。
【００６０】
吸収性物品１ａでは、前方部弾性部材４３ａおよび後方部弾性部材４４ａにより、第１の実施の形態と同様に、本体部２の前方部２０１および後方部２０３の着用者に対する密着性を向上することができる。また、前方部弾性部材４３ａおよび後方部弾性部材４４ａにおいて、第１弾性糸群４３１，４４１の下端と第２弾性糸群４３２，４４２の上端との間の距離ＤＬ１が、第１弾性糸群４３１，４４１および第２弾性糸群４３２，４４２のそれぞれにおける複数の弾性糸の間隔ＤＳ１，ＤＳ２のいずれよりも大きくされる。このため、第１の実施の形態と同様に、吸収性物品１ａの着用の際に、本体部２の第１弾性糸群４３１と第２弾性糸群４３２との間、または、第１弾性糸群４４１と第２弾性糸群４４２との間に指先を深く引っ掛けることができ、吸収性物品１ａの着用を容易とすることができる。
【００６１】
吸収性物品１ａでは、第１の実施の形態と同様に、距離ＤＬ１を１０ｍｍ以上２０ｍｍ以下とすることにより、吸収性物品１ａの着用をさらに容易とすることができるとともに本体部２の着用者への密着性を適切な範囲に維持することができる。また、間隔ＤＳ１，ＤＳ２を１ｍｍ以上９ｍｍ以下とすることにより、吸収性物品１ａの製造を簡素化することができるとともに本体部２の着用者への密着性を適切な範囲に維持することができる。
【００６２】
前方部弾性部材４３ａおよび後方部弾性部材４４ａでは、第１弾性糸群４３１，４４１のそれぞれの下端に位置する弾性糸の断面積が、当該弾性糸が含まれる弾性糸群の他の弾性糸の断面積、および、第２弾性糸群４３２，４４２の上端に位置する弾性糸の断面積よりも大きくされる。これにより、第１の実施の形態と同様に、吸収性物品１ａの着用時に指先に伝わる感触に基づいて指先を引っ掛ける位置を容易に見つけ出すことができ、さらに、吸収性物品１を腰部側に引き上げる際に指先に力を入れやすいため、吸収性物品１ａの着用をより一層容易とすることができる。
【００６３】
吸収性物品１ａでは、第１の実施の形態と同様に、本体部２の前方部２０１および後方部２０３において、胴部弾性部材４１の下端と第１弾性糸群の上端との間の距離が、各弾性糸群における弾性糸の間隔よりも大きくされることにより、吸収性物品１ａの着用時に、必要に応じて、胴部弾性部材４１と第１弾性糸群４３１，４４１との間の部位にも指先を引っ掛けることができるため、吸収性物品１ａの着用をより一層容易とすることができる。
【００６４】
次に、本発明の第３の実施の形態に係る吸収性物品１ｂについて説明する。図８および図９は、吸収性物品１ｂの正面図および背面図である。図８および図９に示すように、吸収性物品１ｂは、第１の実施の形態と同様に、上端（すなわち、図８および図９中の上側の端部）に胴部開口１１を有し、下端に一対の脚部開口１２を有するパンツタイプの使い捨ておむつであり、本体部２、胴部弾性部材４１および脚部弾性部材４２、並びに、胴部弾性部材４１および脚部弾性部材４２の間において左右方向（すなわち、幅方向）に沿って本体部２の前方部２０１に接合される前方部弾性部材４３ｂ、並びに、胴部弾性部材４１および脚部弾性部材４２の間において左右方向に沿って本体部２の後方部２０３に接合される後方部弾性部材４４ｂを備える。
【００６５】
ただし、図１ないし図３に示す吸収性物品１とは異なり、前方部弾性部材４３ｂおよび後方部弾性部材４４ｂがそれぞれ３本の弾性糸（ポリウレタン糸）を備える。以下の説明では、前方部弾性部材４３ｂに含まれる３本の弾性糸を、上側から下側に向かって、「第１弾性糸４３０１」「第２弾性糸４３０２」「第３弾性糸４３０３」と呼び、後方部弾性部材４４ｂに含まれる３本の弾性糸を、上側から下側に向かって、「第１弾性糸４４０１」「第２弾性糸４４０２」「第３弾性糸４４０３」と呼ぶ。その他の構成は図１ないし図３と同様であり、以下の説明において同符号を付す。
【００６６】
図８に示すように、前方部弾性部材４３ｂでは、第１弾性糸４３０１と第２弾性糸４３０２との上下方向に関する距離ＤＬ４が、第２弾性糸４３０２と第３弾性糸４３０３との上下方向に関する距離ＤＬ５よりも大きくされる。また、図９に示す後方部弾性部材４４ｂでも、前方部弾性部材４３ｂと同様に、第１弾性糸４４０１と第２弾性糸４４０２との上下方向に関する距離ＤＬ４が、第２弾性糸４４０２と第３弾性糸４４０３との上下方向に関する距離ＤＬ５よりも大きくされる。吸収性物品１ｂでは、距離ＤＬ４が１０ｍｍ以上２０ｍｍ以下（本実施の形態では、１４ｍｍ）とされ、距離ＤＬ５が１ｍｍ以上９ｍｍ以下（本実施の形態では、７ｍｍ）とされる。前方部弾性部材４３ｂおよび後方部弾性部材４４ｂでは、第１弾性糸４３０１，４４０１の断面積がそれぞれ、隣接する第２弾性糸４３０２，４４０２の断面積よりも大きい。
【００６７】
吸収性物品１ｂでは、前方部弾性部材４３ｂの第２弾性糸４３０２および第３弾性糸４３０３をまとめて、第１弾性糸４３０１の下方において第１弾性糸４３０１との間の距離ＤＬ４よりも小さい間隔（すなわち、距離ＤＬ５）にて上下方向に配列された弾性糸群と捉えることができる。また、後方部弾性部材４４ｂの第２弾性糸４４０２および第３弾性糸４４０３をまとめて、第１弾性糸４４０１の下方において第１弾性糸４４０１との間の距離ＤＬ４よりも小さい間隔ＤＬ５にて上下方向に配列された弾性糸群と捉えることができる。
【００６８】
吸収性物品１ｂでは、図８および図９に示すように、前方部弾性部材４３ｂおよび後方部弾性部材４４ｂの第１弾性糸４３０１，４４０１と胴部弾性部材４１の下端の弾性糸との間の上下方向に関するそれぞれの距離ＤＬ６が上記距離ＤＬ５よりも大きい。
【００６９】
吸収性物品１ｂが着用者に着用された状態では、第１の実施の形態と同様に、前方部弾性部材４３ｂおよび後方部弾性部材４４ｂにそれぞれ生じる張力は、胴部弾性部材４１に生じる張力よりも小さい。このため、本体部２の前方部２０１および後方部２０３の着用者に対する密着性が過剰に大きくなることを防止することができ、吸収性物品１ｂの着用感を快適なものとすることができる。
【００７０】
吸収性物品１ｂでは、前方部弾性部材４３ｂおよび後方部弾性部材４４ｂにより、第１の実施の形態と同様に、本体部２の前方部２０１および後方部２０３の着用者に対する密着性を向上することができる。また、前方部弾性部材４３ｂおよび後方部弾性部材４４ｂにおいて、第１弾性糸４３０１，４４０１と第２弾性糸４３０２，４４０２との間の距離ＤＬ４が、第２弾性糸４３０２，４４０２と第３弾性糸４３０３，４４０３との間の距離ＤＬ５よりも大きくされる。このため、吸収性物品１ｂの着用の際に、本体部２の第１弾性糸４３０１と第２弾性糸４３０２との間、または、第１弾性糸４４０１と第２弾性糸４４０２との間に指先を深く引っ掛けることができ、第１の実施の形態と同様に、吸収性物品１ｂの着用を容易とすることができる。
【００７１】
特に、距離ＤＬ４を１０ｍｍ以上２０ｍｍ以下とすることにより、吸収性物品１ｂの着用をさらに容易とすることができるとともに本体部２の着用者への密着性を適切な範囲に維持することができる。また、距離ＤＬ５を１ｍｍ以上９ｍｍ以下とすることにより、吸収性物品１ｂの製造を簡素化することができるとともに本体部２の着用者への密着性を適切な範囲に維持することができる。
【００７２】
吸収性物品１ｂでは、胴部弾性部材４１の下端と前方部弾性部材４３ｂおよび後方部弾性部材４４ｂの第１弾性糸４３０１，４４０１との間のそれぞれの距離ＤＬ６が、距離ＤＬ５よりも大きくされることにより、吸収性物品１ｂの着用時に、必要に応じて、胴部弾性部材４１と第１弾性糸４３０１，４４０１との間の部位にも指先を引っ掛けることができるため、吸収性物品１ｂの着用をより一層容易とすることができる。
【００７３】
以上、本発明の実施の形態について説明してきたが、本発明は上記実施の形態に限定されるものではなく、様々な変更が可能である。
【００７４】
例えば、第１および第２の実施の形態に係る吸収性物品では、各弾性糸群に含まれる弾性糸の本数は４本以上とされてもよい。
【００７５】
第１の実施の形態に係る吸収性物品１では、前方部弾性部材４３または後方部弾性部材４４の一方のみが３つの弾性糸群を備え、当該３つの弾性糸群において互いに隣接する弾性糸群の間の距離ＤＬ１，ＤＬ２が、各弾性糸群に含まれる複数の弾性糸の間隔ＤＳ１，ＤＳ２，ＤＳ３のいずれよりも大きくされてもよい。また、第２の実施の形態に係る吸収性物品１ａでも同様に、前方部弾性部材４３ａまたは後方部弾性部材４４ａの一方のみが２つの弾性糸群を備え、当該２つの弾性糸群の間の距離ＤＬ１が、各弾性糸群に含まれる複数の弾性糸の間隔ＤＳ１，ＤＳ２のいずれよりも大きくされてもよい。第３の実施の形態に係る吸収性物品１ｂでは、前方部弾性部材４３ｂまたは後方部弾性部材４４ｂの一方においてのみ、第１弾性糸と第２弾性糸との間の距離ＤＬ４が、第２弾性糸と第３弾性糸との間の距離ＤＬ５よりも大きくされてもよい。上記いずれの場合であっても、吸収性物品の着用を容易とすることができる。
【図面の簡単な説明】
【００７６】
【図１】第１の実施の形態に係る吸収性物品の外観を示す図である。
【図２】吸収性物品の正面図である。
【図３】吸収性物品の背面図である。
【図４】吸収性物品を展開した状態で着用者側から見た平面図である。
【図５】吸収性物品の断面図である。
【図６】第２の実施の形態に係る吸収性物品の正面図である。
【図７】吸収性物品の背面図である。
【図８】第３の実施の形態に係る吸収性物品の正面図である。
【図９】吸収性物品の背面図である。
【符号の説明】
【００７７】
１，１ａ，１ｂ    吸収性物品
２    本体部
１１    胴部開口
１２    脚部開口
４１    胴部弾性部材
４２    脚部弾性部材
４３，４３ａ，４３ｂ    前方部弾性部材
４４，４４ａ，４４ｂ    後方部弾性部材
２０１    前方部
２０２    中間部
２０３    後方部
４３１，４４１    第１弾性糸群
４３２，４４２    第２弾性糸群
４３３，４４３    第３弾性糸群
４３０１，４４０１    第１弾性糸
４３０２，４４０２    第２弾性糸
４３０３，４４０３    第３弾性糸
４３１１，４３２１，４３３１，４４１１，４４２１，４４３１    弾性糸
【図１】
0004726641.tif 000002
【図２】
0004726641.tif 000003
【図３】
0004726641.tif 000004
【図４】
0004726641.tif 000005
【図５】
0004726641.tif 000006
【図６】
0004726641.tif 000007
【図７】
0004726641.tif 000008
【図８】
0004726641.tif 000009
【図９】
0004726641.tif 000010